(57)【特許請求の範囲】
【請求項１】
移動端末に地域情報を配信する地域情報配信サーバであって、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を、投稿情報に付与されているユーザ識別情報に対して予め関連付けた所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
を有し、
前記関連投稿情報取得部は、前記移動端末のユーザの移動手段に基づいて、カテゴリに優先順位を付与し、
前記関連投稿情報配信部は、前記カテゴリ分類部により付与されたカテゴリ及び前記関連投稿情報取得部により付与されたカテゴリの優先順位と共に、前記関連投稿情報取得部により取得された投稿情報を前記移動端末に配信する地域情報配信サーバ。
【請求項２】
移動端末に地域情報を配信する地域情報配信サーバであって、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
カテゴリに対応する関連単語を基に作成した当該カテゴリの意味空間ベクトルと投稿情報の意味空間ベクトルの類似性に基づき、前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
を有し、
前記関連投稿情報取得部は、前記移動端末のユーザの移動手段に基づいて、カテゴリに優先順位を付与し、
前記関連投稿情報配信部は、前記カテゴリ分類部により付与されたカテゴリ及び前記関連投稿情報取得部により付与されたカテゴリの優先順位と共に、前記関連投稿情報取得部により取得された投稿情報を前記移動端末に配信する地域情報配信サーバ。
【請求項３】
投稿情報に付与されているユーザ識別情報に対して予め関連付けた所定のカテゴリに対応する関連単語として、当該投稿情報に含まれる単語のうち、出現頻度が所定の値よりも高い単語を抽出する単語抽出部を更に有し、
前記カテゴリ分類部は、抽出された関連単語に一致する単語又は類似する単語が含まれる投稿情報を当該関連単語が対応するカテゴリに分類する、請求項２に記載の地域情報配信サーバ。
【請求項４】
前記関連投稿情報取得部は、前記移動端末の位置情報に基づいて、投稿情報に優先順位を付与し、
前記関連投稿情報配信部は、前記カテゴリ分類部により付与されたカテゴリ、前記関連投稿情報取得部により付与されたカテゴリの優先順位及び投稿情報の優先順位と共に、前記関連投稿情報取得部により取得された投稿情報を前記移動端末に配信する、請求項１乃至３のうちいずれか１項に記載の地域情報配信サーバ。
【請求項５】
移動端末に地域情報を配信する地域情報配信サーバであって、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
前記移動端末の位置情報に基づいて、前記移動端末のユーザの移動経路を判定し、過去の移動経路との比較に基づいて移動回数を算出し、前記移動経路及び前記移動回数を移動経路情報格納部に格納する移動経路判定部と、
前記移動端末の位置情報と、前記移動経路情報格納部に格納された移動端末の移動経路とに基づいて、前記移動端末のユーザの目的地及び移動経路を予測する目的地予測部と、
を有し、
前記関連投稿情報取得部は、前記移動端末のユーザの移動手段に基づいて、カテゴリに優先順位を付与し、
前記関連投稿情報取得部は、前記移動回数に基づき投稿情報に優先順位を付与し、
前記関連投稿情報配信部は、前記カテゴリ分類部により付与されたカテゴリ及び前記関連投稿情報取得部により付与されたカテゴリの優先順位並びに前記関連投稿情報取得部により付与された優先順位と共に、前記関連投稿情報取得部により取得された投稿情報を前記移動端末に配信する地域情報配信サーバ。
【請求項６】
前記関連投稿情報配信部は、前記移動端末との距離が所定値以下又は前記移動回数が所定回数以上の経路に対応する投稿情報を前記移動端末に配信する、請求項５記載の地域情報配信サーバ。
【請求項７】
鉄道路線及び道路の情報を格納する路線・道路情報格納部を更に有し、
前記移動経路判定部は、判定した移動経路を、前記路線・道路情報格納部に格納された路線又は道路と対応付け、
前記関連投稿情報配信部は、前記移動経路判定部で判定した路線又は道路に対応する投稿情報を前記移動端末に配信する、請求項５又は６に記載の地域情報配信サーバ。
【請求項８】
前記投稿情報取得部は、投稿情報内のテキスト又は投稿情報に付与されたタグに基づいて、地域に関する投稿情報を取得する、請求項１乃至７のうちいずれか１項に記載の地域情報配信サーバ。
【請求項９】
地域情報配信サーバから地域情報を受信する移動端末であって、
当該移動端末の位置情報を取得し、位置情報を前記地域情報配信サーバに送信する位置情報取得部と、
投稿情報を格納したサーバから前記地域情報配信サーバにより取得された地域に関する投稿情報のうち、当該移動端末の位置情報に関連する投稿情報と、投稿情報に付与されているユーザ識別情報に対して関連付けて分類された投稿情報のカテゴリと、当該移動端末の移動手段に基づいて付与されたカテゴリの優先順位とを前記地域情報配信サーバから受信する関連投稿情報受信部と、
前記関連投稿情報受信部により受信した投稿情報のカテゴリ及びカテゴリの優先順位に基づいて、前記関連投稿情報受信部により受信した投稿情報を表示する表示部と、
を有する移動端末。
【請求項１０】
地域情報配信サーバから地域情報を受信する移動端末であって、
当該移動端末の位置情報を取得し、位置情報を前記地域情報配信サーバに送信する位置情報取得部と、
投稿情報を格納したサーバから前記地域情報配信サーバにより取得された地域に関する投稿情報のうち、当該移動端末の位置情報に関連する投稿情報と、カテゴリに対応する関連単語を基に作成した当該カテゴリの意味空間ベクトルと投稿情報の意味空間ベクトルの類似性に基づき分類された投稿情報のカテゴリと、当該移動端末の移動手段に基づいて付与されたカテゴリの優先順位とを前記地域情報配信サーバから受信する関連投稿情報受信部と、
前記関連投稿情報受信部により受信した投稿情報のカテゴリ及びカテゴリの優先順位に基づいて、前記関連投稿情報受信部により受信した投稿情報を表示する表示部と、
を有する移動端末。
【請求項１１】
前記関連投稿情報受信部が投稿情報の優先順位を受信した場合、
前記表示部は、前記関連投稿情報受信部により受信した投稿情報のカテゴリ、カテゴリの優先順位及び投稿情報の優先順位に基づいて、投稿情報を表示する、請求項９又は１０に記載の移動端末。
【請求項１２】
地域情報を表示する移動端末であって、
投稿情報を格納したサーバから、地域に関する投稿情報を取得する投稿情報取得部と、
当該移動端末の位置情報を取得する位置情報取得部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を、投稿情報に付与されているユーザ識別情報に対して予め関連付けた所定のカテゴリに分類し、分類されたカテゴリを前記投稿情報取得部により取得された投稿情報に付与するカテゴリ分類部と、
前記関連投稿情報取得部により取得された投稿情報を表示する表示部と、
を有し、
前記関連投稿情報取得部は、前記移動端末のユーザの移動手段に基づいて、カテゴリに優先順位を付与し、
前記表示部は、前記カテゴリ分類部により付与されたカテゴリ及び前記関連投稿情報取得部により付与されたカテゴリの優先順位に基づいて、前記関連投稿情報取得部により取得された投稿情報を表示する移動端末。
【請求項１３】
地域情報を表示する移動端末であって、
投稿情報を格納したサーバから、地域に関する投稿情報を取得する投稿情報取得部と、
当該移動端末の位置情報を取得する位置情報取得部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
カテゴリに対応する関連単語を基に作成した当該カテゴリの意味空間ベクトルと投稿情報の意味空間ベクトルの類似性に基づき、前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を表示する表示部と、
を有し、
前記関連投稿情報取得部は、前記移動端末のユーザの移動手段に基づいて、カテゴリに優先順位を付与し、
前記表示部は、前記カテゴリ分類部により付与されたカテゴリ及び前記関連投稿情報取得部により付与されたカテゴリの優先順位に基づいて、前記関連投稿情報取得部により取得された投稿情報を表示する移動端末。
【請求項１４】
前記表示部は、誤操作を防止するためのロック画面上に投稿情報を表示する
請求項９乃至１３のうちいずれか１項に記載の移動端末。
【請求項１５】
移動端末と、移動端末に地域情報を配信する地域情報配信サーバとを有する地域情報配信システムであって、
前記地域情報配信サーバは、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を、投稿情報に付与されているユーザ識別情報に対して予め関連付けた所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
を有し、
前記関連投稿情報取得部は、前記移動端末のユーザの移動手段に基づいて、カテゴリに優先順位を付与し、
前記関連投稿情報配信部は、前記カテゴリ分類部により付与されたカテゴリ及び前記関連投稿情報取得部により付与されたカテゴリの優先順位と共に、前記関連投稿情報取得部により取得された投稿情報を前記移動端末に配信し、
前記移動端末は、
前記移動端末の位置情報を取得し、位置情報を前記地域情報配信サーバに送信する位置情報取得部と、
前記地域情報配信サーバから配信された投稿情報と、投稿情報のカテゴリと、カテゴリの優先順位とを受信する関連投稿情報受信部と、
前記関連投稿情報受信部により受信した投稿情報のカテゴリ及びカテゴリの優先順位に基づいて、前記関連投稿情報取得部により取得された投稿情報を表示する表示部と、
を有する地域情報配信システム。
【請求項１６】
移動端末と、移動端末に地域情報を配信する地域情報配信サーバとを有する地域情報配信システムであって、
前記地域情報配信サーバは、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
カテゴリに対応する関連単語を基に作成した当該カテゴリの意味空間ベクトルと投稿情報の意味空間ベクトルの類似性に基づき、前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
を有し、
前記関連投稿情報取得部は、前記移動端末のユーザの移動手段に基づいて、カテゴリに優先順位を付与し、
前記関連投稿情報配信部は、前記カテゴリ分類部により付与されたカテゴリ及び前記関連投稿情報取得部により付与されたカテゴリの優先順位と共に、前記関連投稿情報取得部により取得された投稿情報を前記移動端末に配信し、
前記移動端末は、
前記移動端末の位置情報を取得し、位置情報を前記地域情報配信サーバに送信する位置情報取得部と、
前記地域情報配信サーバから配信された投稿情報と、投稿情報のカテゴリと、カテゴリの優先順位とを受信する関連投稿情報受信部と、
前記関連投稿情報受信部により受信した投稿情報のカテゴリ及びカテゴリの優先順位に基づいて、前記関連投稿情報取得部により取得された投稿情報を表示する表示部と、
を有する地域情報配信システム。
【請求項１７】
移動端末と、移動端末に地域情報を配信する地域情報配信サーバとを有する地域情報配信システムであって、
前記地域情報配信サーバは、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
前記移動端末の位置情報に基づいて、前記移動端末のユーザの移動経路を判定し、過去の移動経路との比較に基づいて移動回数を算出し、前記移動経路及び前記移動回数を移動経路情報格納部に格納する移動経路判定部と、
前記移動端末の位置情報と、前記移動経路情報格納部に格納された移動端末の移動経路とに基づいて、前記移動端末のユーザの目的地及び移動経路を予測する目的地予測部と、
を有し、
前記関連投稿情報取得部は、前記移動端末のユーザの移動手段に基づいて、カテゴリに優先順位を付与し、
前記関連投稿情報取得部は、前記移動回数に基づき投稿情報に優先順位を付与し、
前記関連投稿情報配信部は、前記カテゴリ分類部により付与されたカテゴリ及び前記関連投稿情報取得部により付与されたカテゴリの優先順位並びに前記関連投稿情報取得部により付与された優先順位と共に、前記関連投稿情報取得部により取得された投稿情報を前記移動端末に配信し、
前記移動端末は、
前記移動端末の位置情報を取得し、位置情報を前記地域情報配信サーバに送信する位置情報取得部と、
前記地域情報配信サーバから配信された投稿情報と、投稿情報のカテゴリと、カテゴリの優先順位とを受信する関連投稿情報受信部と、
前記関連投稿情報受信部により受信した投稿情報のカテゴリ及びカテゴリの優先順位に基づいて、前記関連投稿情報取得部により取得された投稿情報を表示する表示部と、
を有する地域情報配信システム。
【請求項１８】
前記関連投稿情報取得部は、前記移動端末の位置情報に基づいて、投稿情報に優先順位を付与し、
前記関連投稿情報配信部は、前記カテゴリ分類部により付与されたカテゴリ、前記関連投稿情報取得部により付与されたカテゴリの優先順位及び投稿情報の優先順位と共に、前記関連投稿情報取得部により取得された投稿情報を前記移動端末に配信し、
前記表示部は、前記関連投稿情報受信部により受信した投稿情報のカテゴリ、カテゴリの優先順位及び投稿情報の優先順位に基づいて、投稿情報を表示する、請求項１５乃至１７のうちいずれか１項に記載の地域情報配信システム。
【請求項１９】
移動端末に地域情報を配信する地域情報配信サーバにおける地域情報配信方法であって、
投稿情報を格納したサーバから、地域に関する投稿情報を取得するステップと、
移動端末から当該移動端末の位置情報を受信するステップと、
前記移動端末の位置情報に基づいて、前記移動端末のユーザの移動手段を判定するステップと、
地域に関する投稿情報のうち、前記移動端末の位置情報に関連する投稿情報を取得するステップと、
取得された投稿情報を、投稿情報に付与されているユーザ識別情報に対して予め関連付けた所定のカテゴリに分類し、分類されたカテゴリを取得された投稿情報に付与するステップと、
前記移動端末のユーザの移動手段に基づいて、カテゴリに優先順位を付与するステップと、
付与されたカテゴリ及び付与されたカテゴリの優先順位と共に、前記移動端末の位置情報に関連する投稿情報を前記移動端末に配信するステップと、
を有する地域情報配信方法。
【請求項２０】
移動端末に地域情報を配信する地域情報配信サーバにおける地域情報配信方法であって、
投稿情報を格納したサーバから、地域に関する投稿情報を取得するステップと、
移動端末から当該移動端末の位置情報を受信するステップと、
前記移動端末の位置情報に基づいて、前記移動端末のユーザの移動手段を判定するステップと、
地域に関する投稿情報のうち、前記移動端末の位置情報に関連する投稿情報を取得するステップと、
カテゴリに対応する関連単語を基に作成した当該カテゴリの意味空間ベクトルと投稿情報の意味空間ベクトルの類似性に基づき、取得された投稿情報を所定のカテゴリに分類し、分類されたカテゴリを取得された投稿情報に付与するステップと、
前記移動端末のユーザの移動手段に基づいて、カテゴリに優先順位を付与するステップと、
付与されたカテゴリ及び付与されたカテゴリの優先順位と共に、前記移動端末の位置情報に関連する投稿情報を前記移動端末に配信するステップと、
を有する地域情報配信方法。
【請求項２１】
移動端末に地域情報を配信する地域情報配信サーバにおける地域情報配信方法であって、
投稿情報を格納したサーバから、地域に関する投稿情報を取得するステップと、
移動端末から当該移動端末の位置情報を受信するステップと、
前記移動端末の位置情報に基づいて、前記移動端末のユーザの移動手段を判定するステップと、
前記移動端末の位置情報に基づいて、前記移動端末のユーザの移動経路を判定し、過去の移動経路との比較に基づいて移動回数を算出し、前記移動経路及び前記移動回数を移動経路情報格納部に格納するステップと、
前記移動端末の位置情報と、前記移動経路情報格納部に格納された移動端末の移動経路とに基づいて、前記移動端末のユーザの目的地及び移動経路を予測するステップと、
地域に関する投稿情報のうち、前記移動端末の位置情報に関連する投稿情報を取得するステップと、
取得された投稿情報を所定のカテゴリに分類し、分類されたカテゴリを取得された投稿情報に付与するステップと、
前記移動端末のユーザの移動手段に基づいて、カテゴリに優先順位を付与するステップと、
前記移動回数に基づき投稿情報に優先順位を付与するステップと、
付与されたカテゴリ及び付与されたカテゴリの優先順位並びに付与された投稿情報の優先順位と共に、前記移動端末の位置情報に関連する投稿情報を前記移動端末に配信するステップと、
を有する地域情報配信方法。
【請求項２２】
地域情報を表示する移動端末における地域情報表示方法であって、
投稿情報を格納したサーバから、地域に関する投稿情報を取得するステップと、
当該移動端末の位置情報を取得するステップと、
地域に関する投稿情報のうち、前記移動端末の位置情報に関連する投稿情報と、投稿情報に付与されているユーザ識別情報に対して関連付けて分類された投稿情報のカテゴリと、当該移動端末の移動手段に基づいて付与されたカテゴリの優先順位とを取得するステップと、
取得した投稿情報のカテゴリ及びカテゴリの優先順位に基づいて、前記移動端末の位置情報に関連する投稿情報を表示するステップと、
を有する地域情報表示方法。
【請求項２３】
地域情報を表示する移動端末における地域情報表示方法であって、
投稿情報を格納したサーバから、地域に関する投稿情報を取得するステップと、
当該移動端末の位置情報を取得するステップと、
地域に関する投稿情報のうち、前記移動端末の位置情報に関連する投稿情報と、カテゴリに対応する関連単語を基に作成した当該カテゴリの意味空間ベクトルと投稿情報の意味空間ベクトルの類似性に基づき分類された投稿情報のカテゴリと、当該移動端末の移動手段に基づいて付与されたカテゴリの優先順位とを取得するステップと、
取得した投稿情報のカテゴリ及びカテゴリの優先順位に基づいて、前記移動端末の位置情報に関連する投稿情報を表示するステップと、
を有する地域情報表示方法。
【発明の詳細な説明】
【技術分野】
【０００１】
本発明は、地域情報配信サーバ、移動端末、地域情報配信方法、地域情報配信システム、及び地域情報表示方法に関する。
【背景技術】
【０００２】
ユーザが地域に関する情報をサーバ上に投稿し、サーバが投稿情報を配信するサービスがある（例えば、非特許文献１、２、３参照）。これらのサービスでは、ユーザは各サービスのフォーマットに従って情報を投稿し、サーバは、投稿された全ての情報を配信する。
【先行技術文献】
【非特許文献】
【０００３】
【非特許文献１】ジョルダンライブ！（インターネット），http://www.jorudan.co.jp/unk/live.html
【非特許文献２】waze（インターネット），http://world.waze.com
【非特許文献３】ウェザー・ニューズ（インターネット），http://weathernews.jp
【非特許文献４】若月紀之他，"概念ベースと関連度計算を用いた新聞記事の分類"，社団法人情報処理学会研究報告，2005-NL-165(10)，2005年1月12日
【発明の概要】
【発明が解決しようとする課題】
【０００４】
しかし、上記のサービスでは、各サービスのフォーマットに従って投稿された情報でなければ配信できない。また、投稿された全ての情報が配信されるため、ユーザは興味のある地域に関する情報を閲覧する場合には、興味のある地域に関する情報を自分で選択しなければならない。
【０００５】
一方、Ｔｗｉｔｔｅｒ（ツィッター）と呼ばれるサービスがあり、Ｔｗｉｔｔｅｒとは、ユーザがツイート又はつぶやきと呼ばれるメッセージを投稿し、各ユーザが閲覧できるサービスである。Ｔｗｉｔｔｅｒでは、フォローしたユーザの投稿情報が時系列順に表示されるが、ユーザは興味のある地域に関する情報を閲覧する場合には、興味のある地域に関する情報を自分で選択しなければならない。
【０００６】
このように、各種の情報がサーバに投稿されているが、投稿された情報の中からユーザが興味のある地域に関する情報を選択するのには手間がかかり、情報量が多くなるほど、興味のある地域に関する情報を選択することが複雑になる。
【０００７】
本発明は、投稿された情報の中からユーザが興味のある地域に関する情報を選択するのを容易にすることを目的とする。
【課題を解決するための手段】
【０００８】
本発明の地域情報配信サーバは、
移動端末に地域情報を配信する地域情報配信サーバであって、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を、投稿情報に付与されているユーザ識別情報に対して予め関連付けた所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
を有し、
前記関連投稿情報取得部は、前記移動端末のユーザの移動手段に基づいて、カテゴリに優先順位を付与し、
前記関連投稿情報配信部は、前記カテゴリ分類部により付与されたカテゴリ及び前記関連投稿情報取得部により付与されたカテゴリの優先順位と共に、前記関連投稿情報取得部により取得された投稿情報を前記移動端末に配信することを特徴とする。
また、本発明の地域情報配信サーバは、
移動端末に地域情報を配信する地域情報配信サーバであって、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
カテゴリに対応する関連単語を基に作成した当該カテゴリの意味空間ベクトルと投稿情報の意味空間ベクトルの類似性に基づき、前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
を有し、
前記関連投稿情報取得部は、前記移動端末のユーザの移動手段に基づいて、カテゴリに優先順位を付与し、
前記関連投稿情報配信部は、前記カテゴリ分類部により付与されたカテゴリ及び前記関連投稿情報取得部により付与されたカテゴリの優先順位と共に、前記関連投稿情報取得部により取得された投稿情報を前記移動端末に配信することを特徴とする。
また、本発明の地域情報配信サーバは、
移動端末に地域情報を配信する地域情報配信サーバであって、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
前記移動端末の位置情報に基づいて、前記移動端末のユーザの移動経路を判定し、過去の移動経路との比較に基づいて移動回数を算出し、前記移動経路及び前記移動回数を移動経路情報格納部に格納する移動経路判定部と、
前記移動端末の位置情報と、前記移動経路情報格納部に格納された移動端末の移動経路とに基づいて、前記移動端末のユーザの目的地及び移動経路を予測する目的地予測部と、
を有し、
前記関連投稿情報取得部は、前記移動端末のユーザの移動手段に基づいて、カテゴリに優先順位を付与し、
前記関連投稿情報取得部は、前記移動回数に基づき投稿情報に優先順位を付与し、
前記関連投稿情報配信部は、前記カテゴリ分類部により付与されたカテゴリ及び前記関連投稿情報取得部により付与されたカテゴリの優先順位並びに前記関連投稿情報取得部により付与された優先順位と共に、前記関連投稿情報取得部により取得された投稿情報を前記移動端末に配信することを特徴とする。
【０００９】
本発明の移動端末は、
地域情報配信サーバから地域情報を受信する移動端末であって、
当該移動端末の位置情報を取得し、位置情報を前記地域情報配信サーバに送信する位置情報取得部と、
投稿情報を格納したサーバから前記地域情報配信サーバにより取得された地域に関する投稿情報のうち、当該移動端末の位置情報に関連する投稿情報と、投稿情報に付与されているユーザ識別情報に対して関連付けて分類された投稿情報のカテゴリと、当該移動端末の移動手段に基づいて付与されたカテゴリの優先順位とを前記地域情報配信サーバから受信する関連投稿情報受信部と、
前記関連投稿情報受信部により受信した投稿情報のカテゴリ及びカテゴリの優先順位に基づいて、前記関連投稿情報受信部により受信した投稿情報を表示する表示部と、
を有することを特徴とする。
また、本発明の移動端末は、
地域情報配信サーバから地域情報を受信する移動端末であって、
当該移動端末の位置情報を取得し、位置情報を前記地域情報配信サーバに送信する位置情報取得部と、
投稿情報を格納したサーバから前記地域情報配信サーバにより取得された地域に関する投稿情報のうち、当該移動端末の位置情報に関連する投稿情報と、カテゴリに対応する関連単語を基に作成した当該カテゴリの意味空間ベクトルと投稿情報の意味空間ベクトルの類似性に基づき分類された投稿情報のカテゴリと、当該移動端末の移動手段に基づいて付与されたカテゴリの優先順位とを前記地域情報配信サーバから受信する関連投稿情報受信部と、
前記関連投稿情報受信部により受信した投稿情報のカテゴリ及びカテゴリの優先順位に基づいて、前記関連投稿情報受信部により受信した投稿情報を表示する表示部と、
を有することを特徴とする。
【００１０】
本発明の移動端末は、
地域情報を表示する移動端末であって、
投稿情報を格納したサーバから、地域に関する投稿情報を取得する投稿情報取得部と、
当該移動端末の位置情報を取得する位置情報取得部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を、投稿情報に付与されているユーザ識別情報に対して予め関連付けた所定のカテゴリに分類し、分類されたカテゴリを前記投稿情報取得部により取得された投稿情報に付与するカテゴリ分類部と、
前記関連投稿情報取得部により取得された投稿情報を表示する表示部と、
を有し、
前記関連投稿情報取得部は、前記移動端末のユーザの移動手段に基づいて、カテゴリに優先順位を付与し、
前記表示部は、前記カテゴリ分類部により付与されたカテゴリ及び前記関連投稿情報取得部により付与されたカテゴリの優先順位に基づいて、前記関連投稿情報取得部により取得された投稿情報を表示することを特徴とする。
また、本発明の移動端末は、
地域情報を表示する移動端末であって、
投稿情報を格納したサーバから、地域に関する投稿情報を取得する投稿情報取得部と、
当該移動端末の位置情報を取得する位置情報取得部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
カテゴリに対応する関連単語を基に作成した当該カテゴリの意味空間ベクトルと投稿情報の意味空間ベクトルの類似性に基づき、前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を表示する表示部と、
を有し、
前記関連投稿情報取得部は、前記移動端末のユーザの移動手段に基づいて、カテゴリに優先順位を付与し、
前記表示部は、前記カテゴリ分類部により付与されたカテゴリ及び前記関連投稿情報取得部により付与されたカテゴリの優先順位に基づいて、前記関連投稿情報取得部により取得された投稿情報を表示することを特徴とする。
【００１１】
本発明の地域情報配信システムは、
移動端末と、移動端末に地域情報を配信する地域情報配信サーバとを有する地域情報配信システムであって、
前記地域情報配信サーバは、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を、投稿情報に付与されているユーザ識別情報に対して予め関連付けた所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
を有し、
前記関連投稿情報取得部は、前記移動端末のユーザの移動手段に基づいて、カテゴリに優先順位を付与し、
前記関連投稿情報配信部は、前記カテゴリ分類部により付与されたカテゴリ及び前記関連投稿情報取得部により付与されたカテゴリの優先順位と共に、前記関連投稿情報取得部により取得された投稿情報を前記移動端末に配信し、
前記移動端末は、
前記移動端末の位置情報を取得し、位置情報を前記地域情報配信サーバに送信する位置情報取得部と、
前記地域情報配信サーバから配信された投稿情報と、投稿情報のカテゴリと、カテゴリの優先順位とを受信する関連投稿情報受信部と、
前記関連投稿情報受信部により受信した投稿情報のカテゴリ及びカテゴリの優先順位に基づいて、前記関連投稿情報取得部により取得された投稿情報を表示する表示部と、
を有することを特徴とする。
また、本発明の地域情報配信システムは、
移動端末と、移動端末に地域情報を配信する地域情報配信サーバとを有する地域情報配信システムであって、
前記地域情報配信サーバは、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
カテゴリに対応する関連単語を基に作成した当該カテゴリの意味空間ベクトルと投稿情報の意味空間ベクトルの類似性に基づき、前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
を有し、
前記関連投稿情報取得部は、前記移動端末のユーザの移動手段に基づいて、カテゴリに優先順位を付与し、
前記関連投稿情報配信部は、前記カテゴリ分類部により付与されたカテゴリ及び前記関連投稿情報取得部により付与されたカテゴリの優先順位と共に、前記関連投稿情報取得部により取得された投稿情報を前記移動端末に配信し、
前記移動端末は、
前記移動端末の位置情報を取得し、位置情報を前記地域情報配信サーバに送信する位置情報取得部と、
前記地域情報配信サーバから配信された投稿情報と、投稿情報のカテゴリと、カテゴリの優先順位とを受信する関連投稿情報受信部と、
前記関連投稿情報受信部により受信した投稿情報のカテゴリ及びカテゴリの優先順位に基づいて、前記関連投稿情報取得部により取得された投稿情報を表示する表示部と、
を有することを特徴とする。
また、本発明の地域情報配信システムは、
移動端末と、移動端末に地域情報を配信する地域情報配信サーバとを有する地域情報配信システムであって、
前記地域情報配信サーバは、
投稿情報を格納したサーバから、地域に関する投稿情報を取得する投稿情報取得部と、
移動端末から当該移動端末の位置情報を受信する位置情報受信部と、
前記移動端末の位置情報に基づいて、前記移動端末のユーザの移動手段を判定する移動手段判定部と、
前記投稿情報取得部により取得された投稿情報のうち、前記移動端末の位置情報に関連する投稿情報を取得する関連投稿情報取得部と、
前記投稿情報取得部により取得された投稿情報を所定のカテゴリに分類し、分類されたカテゴリを前記投稿情報取得部により取得された投稿情報に付与するカテゴリ分類部と、
前記関連投稿情報取得部により取得された投稿情報を前記移動端末に配信する関連投稿情報配信部と、
前記移動端末の位置情報に基づいて、前記移動端末のユーザの移動経路を判定し、過去の移動経路との比較に基づいて移動回数を算出し、前記移動経路及び前記移動回数を移動経路情報格納部に格納する移動経路判定部と、
前記移動端末の位置情報と、前記移動経路情報格納部に格納された移動端末の移動経路とに基づいて、前記移動端末のユーザの目的地及び移動経路を予測する目的地予測部と、
を有し、
前記関連投稿情報取得部は、前記移動端末のユーザの移動手段に基づいて、カテゴリに優先順位を付与し、
前記関連投稿情報取得部は、前記移動回数に基づき投稿情報に優先順位を付与し、
前記関連投稿情報配信部は、前記カテゴリ分類部により付与されたカテゴリ及び前記関連投稿情報取得部により付与されたカテゴリの優先順位並びに前記関連投稿情報取得部により付与された優先順位と共に、前記関連投稿情報取得部により取得された投稿情報を前記移動端末に配信し、
前記移動端末は、
前記移動端末の位置情報を取得し、位置情報を前記地域情報配信サーバに送信する位置情報取得部と、
前記地域情報配信サーバから配信された投稿情報と、投稿情報のカテゴリと、カテゴリの優先順位とを受信する関連投稿情報受信部と、
前記関連投稿情報受信部により受信した投稿情報のカテゴリ及びカテゴリの優先順位に基づいて、前記関連投稿情報取得部により取得された投稿情報を表示する表示部と、
を有することを特徴とする。
【００１２】
本発明の地域情報配信方法は、
移動端末に地域情報を配信する地域情報配信サーバにおける地域情報配信方法であって、
投稿情報を格納したサーバから、地域に関する投稿情報を取得するステップと、
移動端末から当該移動端末の位置情報を受信するステップと、
前記移動端末の位置情報に基づいて、前記移動端末のユーザの移動手段を判定するステップと、
地域に関する投稿情報のうち、前記移動端末の位置情報に関連する投稿情報を取得するステップと、
取得された投稿情報を、投稿情報に付与されているユーザ識別情報に対して予め関連付けた所定のカテゴリに分類し、分類されたカテゴリを取得された投稿情報に付与するステップと、
前記移動端末のユーザの移動手段に基づいて、カテゴリに優先順位を付与するステップと、
付与されたカテゴリ及び付与されたカテゴリの優先順位と共に、前記移動端末の位置情報に関連する投稿情報を前記移動端末に配信するステップと、
を有することを特徴とする。
また、本発明の地域情報配信方法は、
移動端末に地域情報を配信する地域情報配信サーバにおける地域情報配信方法であって、
投稿情報を格納したサーバから、地域に関する投稿情報を取得するステップと、
移動端末から当該移動端末の位置情報を受信するステップと、
前記移動端末の位置情報に基づいて、前記移動端末のユーザの移動手段を判定するステップと、
地域に関する投稿情報のうち、前記移動端末の位置情報に関連する投稿情報を取得するステップと、
カテゴリに対応する関連単語を基に作成した当該カテゴリの意味空間ベクトルと投稿情報の意味空間ベクトルの類似性に基づき、取得された投稿情報を所定のカテゴリに分類し、分類されたカテゴリを取得された投稿情報に付与するステップと、
前記移動端末のユーザの移動手段に基づいて、カテゴリに優先順位を付与するステップと、
付与されたカテゴリ及び付与されたカテゴリの優先順位と共に、前記移動端末の位置情報に関連する投稿情報を前記移動端末に配信するステップと、
を有することを特徴とする。
また、本発明の地域情報配信方法は、
移動端末に地域情報を配信する地域情報配信サーバにおける地域情報配信方法であって、
投稿情報を格納したサーバから、地域に関する投稿情報を取得するステップと、
移動端末から当該移動端末の位置情報を受信するステップと、
前記移動端末の位置情報に基づいて、前記移動端末のユーザの移動手段を判定するステップと、
前記移動端末の位置情報に基づいて、前記移動端末のユーザの移動経路を判定し、過去の移動経路との比較に基づいて移動回数を算出し、前記移動経路及び前記移動回数を移動経路情報格納部に格納するステップと、
前記移動端末の位置情報と、前記移動経路情報格納部に格納された移動端末の移動経路とに基づいて、前記移動端末のユーザの目的地及び移動経路を予測するステップと、
地域に関する投稿情報のうち、前記移動端末の位置情報に関連する投稿情報を取得するステップと、
取得された投稿情報を所定のカテゴリに分類し、分類されたカテゴリを取得された投稿情報に付与するステップと、
前記移動端末のユーザの移動手段に基づいて、カテゴリに優先順位を付与するステップと、
前記移動回数に基づき投稿情報に優先順位を付与するステップと、
付与されたカテゴリ及び付与されたカテゴリの優先順位並びに付与された投稿情報の優先順位と共に、前記移動端末の位置情報に関連する投稿情報を前記移動端末に配信するステップと、
を有することを特徴とする。
【００１３】
本発明の地域情報表示方法は、
地域情報を表示する移動端末における地域情報表示方法であって、
投稿情報を格納したサーバから、地域に関する投稿情報を取得するステップと、
当該移動端末の位置情報を取得するステップと、
地域に関する投稿情報のうち、前記移動端末の位置情報に関連する投稿情報と、投稿情報に付与されているユーザ識別情報に対して関連付けて分類された投稿情報のカテゴリと、当該移動端末の移動手段に基づいて付与されたカテゴリの優先順位とを取得するステップと、
取得した投稿情報のカテゴリ及びカテゴリの優先順位に基づいて、前記移動端末の位置情報に関連する投稿情報を表示するステップと、
を有することを特徴とする。
また、本発明の地域情報表示方法は、
地域情報を表示する移動端末における地域情報表示方法であって、
投稿情報を格納したサーバから、地域に関する投稿情報を取得するステップと、
当該移動端末の位置情報を取得するステップと、
地域に関する投稿情報のうち、前記移動端末の位置情報に関連する投稿情報と、カテゴリに対応する関連単語を基に作成した当該カテゴリの意味空間ベクトルと投稿情報の意味空間ベクトルの類似性に基づき分類された投稿情報のカテゴリと、当該移動端末の移動手段に基づいて付与されたカテゴリの優先順位とを取得するステップと、
取得した投稿情報のカテゴリ及びカテゴリの優先順位に基づいて、前記移動端末の位置情報に関連する投稿情報を表示するステップと、
を有することを特徴とする。
【発明の効果】
【００１４】
本発明によれば、投稿された情報の中からユーザが興味のある地域に関する情報を選択することが容易になる。
【図面の簡単な説明】
【００１５】
【図１】本発明の実施例に係る地域情報配信システムの機能ブロック図
【図２】ハッシュタグ情報格納部に格納される情報の一例を示す図
【図３】路線・道路情報格納部に格納される情報の一例を示す図
【図４】店舗情報格納部に格納される情報の一例を示す図
【図５】投稿情報格納部に格納される情報の一例を示す図
【図６】カテゴリ情報格納部に格納される情報の一例を示す図
【図７】位置情報格納部に格納される情報の一例を示す図
【図８】移動経路情報格納部に格納される情報の一例を示す図
【図９】表示部に表示される投稿情報の一例を示す図（その１）
【図１０】表示部に表示される投稿情報の一例を示す図（その２）
【図１１】表示部に表示される投稿情報の一例を示す図（その３）
【図１２】本発明の実施例に係る地域情報配信方法のフローチャート
【図１３】移動経路の一例を示す図
【図１４】路線情報とユーザの位置情報とを照合する方法例を示す図
【図１５】本発明の実施例に係る移動手段判定方法のフローチャート
【発明を実施するための形態】
【００１６】
本発明の実施例では、移動端末に地域情報を配信する地域情報配信サーバについて説明する。
【００１７】
地域情報配信サーバは、投稿情報を格納したサーバから、地域に関する投稿情報を取得する。例えば、地域情報配信サーバは、位置情報、ハッシュタグ、地名、駅名、路線名、店舗名等が記載された投稿情報を抽出する。また、移動端末から位置情報を受信し、受信した位置情報に関連する投稿情報を取得し、移動端末に配信する。位置情報に関連する投稿情報とは、現在地に関連する投稿情報、訪問回数が多い場所に関連する投稿情報、目的地に関連する投稿情報を含む。
【００１８】
なお、地域情報配信サーバは、投稿情報をカテゴリに分類して、カテゴリと共に投稿情報を移動端末に配信してもよい。例えば、地域情報配信サーバは、気象情報（天気）、道路情報（渋滞情報）、電車運行情報、グルメ情報（レストランレビュー）等のカテゴリに分類する。
【００１９】
このようにすることで、移動端末は、興味のある地域やカテゴリに関する投稿情報のみをユーザに提示できる。
【００２０】
なお、以下に説明するように、地域情報配信サーバを用いずに、移動端末自体が地域情報を収集して、地域情報を表示してもよい。
【００２１】
以下、本発明の実施例について詳細に説明する。
【００２２】
＜地域情報配信システムの構成＞
図１は、本発明の実施例に係る地域情報配信システムの機能ブロック図である。地域情報配信システムは、地域情報配信サーバ１０と、移動端末２０とを有する。地域情報配信サーバ１０は、投稿情報を格納したサーバ（図示せず）に接続されたサーバであり、投稿情報を格納したサーバから投稿情報を取得し、地域に関連する投稿情報を移動端末２０に配信する。移動端末２０は、位置情報を取得するための測位機能を備えた端末である。移動端末２０には、携帯電話、スマートホン等が含まれる。
【００２３】
地域情報配信サーバ１０は、投稿情報取得部１０１と、カテゴリ分類部１０３と、単語抽出部１０５と、位置情報受信部１０７と、移動経路判定部１０９と、目的地予測部１１１と、移動手段判定部１１３と、関連投稿情報取得部１１５と、関連投稿情報配信部１１７と、ハッシュタグ情報格納部１５１と、路線・道路情報格納部１５３と、店舗情報格納部１５５と、投稿情報格納部１５７と、カテゴリ情報格納部１５９と、位置情報格納部１６１と、移動経路情報格納部１６３とを有する。
【００２４】
移動端末２０は、位置情報取得部２０１と、関連投稿情報受信部２０３と、表示部２０５とを有する。
【００２５】
投稿情報取得部１０１は、Ｔｗｉｔｔｅｒ等の投稿サイトにユーザにより投稿されたメッセージを格納したサーバから、地域に関する投稿情報を取得する。
【００２６】
例えば、投稿情報取得部１０１は、位置情報が付与された投稿情報を取得する。投稿情報には、ＧＰＳ測位、ネットワーク測位等による位置情報を付与できる。投稿情報にこのような位置情報が付与されている場合、投稿情報取得部１０１は、投稿情報が地域に関する投稿情報であると判断し、その投稿情報を取得する。
【００２７】
例えば、投稿情報取得部１０１は、ハッシュタグ情報格納部１５１に格納された地名ハッシュタグ又は地名を含む投稿情報を取得する。ハッシュタグとは、Ｔｗｉｔｔｅｒにおいてユーザが任意で付与できるタグを意味する。図２（Ａ）に、ハッシュタグ情報格納部１５１に格納される地名ハッシュタグの一例を示す。ハッシュタグ情報格納部１５１には、地域に関連するハッシュタグとその位置情報とが格納されており、例えば、ハッシュタグ、地名、住所、緯度、経度が格納される。また、図２（Ｂ）に、ハッシュタグ情報格納部１５１に格納されるカテゴリハッシュタグの一例を示す。ハッシュタグ情報格納部１５１には、ハッシュタグとそのカテゴリとが格納されている。所定のカテゴリに分類されるハッシュタグは、地域にも関連すると考えられるため、地名ハッシュタグに加えて、カテゴリハッシュタグも地域に関する投稿情報を取得するために使用されてもよい。投稿情報取得部１０１は、投稿情報に付与されたハッシュタグがハッシュタグ情報格納部１５１に格納されたハッシュタグに含まれる場合、その投稿情報を取得する。また、投稿情報取得部１０１は、テキストマッチングにより、ハッシュタグ情報格納部１５１に格納された地名を含む投稿情報を取得する。なお、テキストマッチングは、完全に一致する場合だけでなく、部分的に一致する場合も含む（以下同様である）。
【００２８】
例えば、投稿情報取得部１０１は、路線・道路情報格納部１５３に格納された駅名、路線名、道路名又は道路施設名を含む投稿情報を取得する。図３に、路線・道路情報格納部１５３に格納される電車路線情報及び道路情報の一例を示す。電車路線情報としては、路線・道路情報格納部１５３には、路線名と路線上の駅とが格納されており、例えば、図３（Ａ）に示すように路線ＩＤ、路線名、駅ＩＤが格納される。また、駅の詳細な情報として、駅ＩＤ、駅名、住所、緯度、経度が格納される。道路情報としては、路線・道路情報格納部１５３には、道路名と道路上の施設とが格納されており、例えば、図３（Ｂ）に示すように道路ＩＤ、道路名、道路施設ＩＤが格納される。また、道路施設の詳細な情報として、道路施設ＩＤ、道路名、住所、緯度、経度が格納される。投稿情報取得部１０１は、テキストマッチングにより、路線・道路情報格納部１５３に格納された路線名、駅名、道路名又は道路施設名を含む投稿情報を取得する。
【００２９】
例えば、投稿情報取得部１０１は、店舗情報格納部１５５に格納された店舗名を含む投稿情報を取得する。図４に、店舗情報格納部１５５に格納される店舗情報の一例を示す。店舗情報格納部１５５には、店舗名とその位置情報とが格納されており、例えば、店舗ＩＤ、店舗名、住所、緯度、経度が格納される。投稿情報取得部１０１は、テキストマッチングにより、店舗情報格納部１５５に格納された店舗名を含む投稿情報を取得する。
【００３０】
このように、投稿情報取得部１０１は、地域に関する投稿情報を取得し、取得した投稿情報を投稿情報格納部１５７に格納する。図５に、投稿情報格納部１５７に格納される投稿情報の一例を示す。投稿情報格納部１５７には、投稿情報と地域とが関連付けられて格納されており、例えば、投稿情報ＩＤ、投稿情報、カテゴリＩＤ、路線ＩＤ（道路ＩＤ）、駅ＩＤ（道路施設ＩＤ）、店舗ＩＤ、緯度・経度、住所が格納される。また、投稿情報取得部１０１は、投稿情報ＩＤをカテゴリ分類部１０３に送信する。
【００３１】
カテゴリ分類部１０３は、投稿情報取得部１０１から投稿情報ＩＤを受信し、投稿情報格納部１５７から投稿情報を取得する。そして、カテゴリ分類部１０３は、カテゴリ情報格納部１５９に格納された情報を用いて、投稿情報を所定のカテゴリに分類する。図６に、カテゴリ情報格納部１５９に格納されるカテゴリ情報の一例を示す。カテゴリ情報格納部１５９には、カテゴリ名とそのカテゴリに関連するユーザ識別情報（Ｔｗｉｔｔｅｒ＿ＩＤ）及び関連単語が格納される。カテゴリ分類部１０３は、Ｔｗｉｔｔｅｒ＿ＩＤ又は関連単語を用いて、意味的に最も近いカテゴリに分類する。
【００３２】
例えば、カテゴリ分類部１０３は、Ｔｗｉｔｔｅｒ＿ＩＤによりカテゴリを分類する。Ｔｗｉｔｔｅｒの投稿情報には、Ｔｗｉｔｔｅｒ＿ＩＤが付与されており、気象情報のみを投稿するＴｗｉｔｔｅｒ＿ＩＤ、電車運行情報のみを投稿するＴｗｉｔｔｅｒ＿ＩＤ、道路情報のみを投稿するＴｗｉｔｔｅｒ＿ＩＤ等が存在する。カテゴリ分類部１０３は、投稿情報のＴｗｉｔｔｅｒ＿ＩＤがカテゴリ情報格納部１５９に格納されたＴｗｉｔｔｅｒ＿ＩＤと一致する場合、当該カテゴリに分類する。
【００３３】
例えば、カテゴリ分類部１０３は、投稿情報がカテゴリ情報格納部１５９に格納された関連単語を含む場合、対応するカテゴリに分類する。例えば、カテゴリ分類部１０３は、関連単語を学習データとして用いてカテゴリの意味空間ベクトルを作成し、投稿情報の意味空間ベクトルと最も類似性の高いカテゴリに分類してもよい（例えば、非特許文献４参照）。
【００３４】
例えば、カテゴリ分類部１０３は、投稿情報にカテゴリハッシュタグが付与されている場合、図２（Ｂ）に示すカテゴリハッシュタグとカテゴリとの関係に基づいてカテゴリに分類してもよい。
【００３５】
このように、カテゴリ分類部１０３は、投稿情報を所定のカテゴリに分類し、カテゴリ情報を投稿情報格納部１５７に格納する。
【００３６】
単語抽出部１０５は、投稿情報に付与されているＴｗｉｔｔｅｒ＿ＩＤに基づいて、カテゴリに対応する関連単語を抽出し、当該カテゴリの関連単語としてカテゴリ情報格納部１５９に格納する。例えば、気象情報のみを投稿するＴｗｉｔｔｅｒ＿ＩＤからの投稿情報には、気象情報に対応する関連単語が含まれることが想定される。従って、単語抽出部１０５は、気象情報のみを投稿するＴｗｉｔｔｅｒ＿ＩＤからの投稿情報に含まれる単語の出現頻度が閾値より高いものを、気象情報に対応する関連単語として抽出し、カテゴリ情報格納部１５９に格納してもよい。
【００３７】
位置情報受信部１０７は、移動端末２０で測位した位置情報を受信し、位置情報格納部１６１に格納する。図７に、位置情報格納部１６１に格納される位置情報の一例を示す。位置情報格納部１６１は、最新の位置情報だけでなく、所定期間内の過去の位置情報も格納しており、例えば、測位日時、位置情報が格納される。位置情報には、測定誤差を含めることができる。
【００３８】
移動経路判定部１０９は、位置情報格納部１６１から位置情報を取得し、ユーザの移動経路を判定し、判定した移動経路を移動経路情報格納部１６３に格納する。図８に、移動経路情報格納部１６３に格納される経路情報の一例を示す。移動経路情報格納部１６３には、移動経路毎に、通過番号、出発エリア、到着エリア、通過エリア、移動手段、路線ＩＤ、移動回数が格納される。なお、通過エリア毎に移動手段及び路線ＩＤが対応付けられている。具体的には、移動端末が所定のエリアに滞在中である場合、移動端末は滞在中であると判断し、そのエリアを出発エリアとする。出発エリアは、移動経路の出発地点の緯度・経度及び測定誤差で表される。移動端末のエリアが変化した場合、移動端末は移動中であると判断し、そのエリアを通過エリアに追加する。通過エリアは、移動経路の通過地点の緯度・経度及び測定誤差で表される。また、通過エリアは、路線・道路情報格納部１５３に格納された路線ＩＤ（道路ＩＤ）と対応付けられる。通過エリアが増える毎に、図８に示すテーブルの通過エリア、移動手段及び路線ＩＤ（道路ＩＤ）が追加される。更に、移動端末が移動中から滞在中に変化した場合、移動端末が目的地に到着したと判断し、そのエリアを到着エリアに追加する。到着エリアは、移動経路の到着地点の緯度・経度及び測定誤差で表される。同じ移動経路が存在する場合には、新たな通過番号を付与して経路情報を格納し、移動回数を１だけ増やす。移動経路判定部１０９の詳細については後述する。
【００３９】
目的地予測部１１１は、位置情報格納部１６１から最新の位置情報を取得し、取得した位置情報と空間的に重複する移動経路を移動経路情報格納部１６３から取得する。具体的には、取得した位置情報のエリアと重複するエリアが移動経路情報格納部１６３に格納されている場合、取得した位置情報以降の移動経路を通過すると推定し、その到着エリアがユーザの目的地であると予測する。この場合、１つ以上の移動経路及び目的地が、その移動経路を移動する確率と共に予測されてもよい。目的地予測部１１１は、今後の移動経路及び目的地の予測結果を関連投稿情報取得部１１５に送信する。目的地予測部１１１の詳細については後述する。
【００４０】
移動手段判定部１１３は、移動端末の位置情報に基づいてユーザの移動手段を判定する。移動手段とは、ユーザが移動する際に使用する交通手段であり、例えば、電車、車、自転車、歩行（徒歩）等である。移動手段判定部１１３は、位置情報によりユーザの移動速度を求め、移動速度によって、電車で移動中であるか、車で移動中であるか、自転車で移動中であるか、徒歩で移動中であるかを判断する。また、路線、道路等の経路との比較によって、電車で移動中であるか、車で移動中であるかを判断してもよい。移動手段判定部１１３は、移動手段判定結果を移動経路情報格納部１６３に格納すると共に、関連投稿情報取得部１１５に送信する。移動手段判定部１１３の詳細については後述する。
【００４１】
関連投稿情報取得部１１５は、移動端末の現在地、移動経路及び目的地に関連する投稿情報のように、移動端末の位置情報に関連する投稿情報を取得する。具体的には、関連投稿情報取得部１１５は、位置情報格納部１６１から最新の位置情報（すなわち、移動端末の現在地）を取得する。また、関連投稿情報取得部１１５は、目的地予測部１１１からユーザの今後の移動経路及び目的地を受信する。そして、関連投稿情報取得部１１５は、最新の位置情報、今後の移動経路及び目的地と空間的に重複する投稿情報を投稿情報格納部１５７から取得する。例えば、関連投稿情報取得部１１５は、最新の位置情報、今後の移動経路及び目的地の緯度・経度から所定の範囲内にある投稿情報を投稿情報格納部１５７から取得する。
【００４２】
また、関連投稿情報取得部１１５は、移動手段判定部１１３からユーザの移動手段を取得する。投稿情報にカテゴリが付与されている場合、関連投稿情報取得部１１５は、移動手段に応じてカテゴリの優先順位を決定する。例えば、移動手段が車である場合、カテゴリが道路情報である投稿情報を優先する。例えば、移動手段が電車である場合、カテゴリが電車運行情報である投稿情報を優先する。例えば、移動手段が自転車又は徒歩である場合、カテゴリが気象情報又はグルメ情報である投稿情報を優先する。
【００４３】
また、関連投稿情報取得部１１５は、最新の位置情報（すなわち、移動端末の現在地）からの距離に応じて投稿情報の優先順位を決定する。このとき、関連投稿情報取得部１１５は、ユーザの目的地までの移動経路に沿って、移動端末の現在地に近い投稿情報を優先してもよい。なお、１つ以上の移動経路及び目的地が予測された場合、過去に移動した回数（移動経路情報格納部１６３に格納された移動回数）によって優先順位を決定してもよい。
【００４４】
関連投稿情報配信部１１７は、関連投稿情報取得部１１５により取得された投稿情報を移動端末２０に配信する。このとき、関連投稿情報配信部１１７は、投稿情報に加えて、カテゴリ及び優先順位も投稿情報と共に配信する。この場合、最新の位置情報から所定の距離以下の投稿情報や過去に移動した回数が所定の回数以上の経路に対応する投稿情報のみを配信するようにしてもよい。
【００４５】
位置情報取得部２０１は、ＧＰＳ測位、ネットワーク測位等により、移動端末２０の位置情報を取得し、地域情報配信サーバ１０に送信する。
【００４６】
関連投稿情報受信部２０３は、関連投稿情報配信部１１７により配信された地域に関する投稿情報を受信する。このとき、投稿情報と共にカテゴリ及び優先順位を受信する。
【００４７】
表示部２０５は、受信した投稿情報を表示する。
【００４８】
例えば、表示部２０５は、図９に示すようにカテゴリ毎にユーザの現在地、移動経路、目的地に関する投稿情報を表示する。図９（Ａ）には電車運行情報のカテゴリの投稿情報の表示例が示されており、表示部２０５は、現在地を通過する路線別に投稿情報を表示してもよい。このとき、表示部２０５は、目的地予測部１１１で予測された移動経路の確率が高い順に運行情報を表示してもよい（山手線→東海道線→横須賀線）。図９（Ｂ）には気象情報のカテゴリの投稿情報の表示例が示されており、表示部２０５は、現在地から近い順に投稿情報を表示してもよい。このとき、表示部２０５は、目的地予測部１１１で予測された目的地までの移動経路に沿って現在地から近い順に投稿情報を表示してもよい（現在地→渋谷→横浜）。
【００４９】
例えば、表示部２０５は、図１０に示すように、移動手段によって、優先して表示するカテゴリを変更してもよい。例えば、移動手段が電車であると判断された場合、図１０（Ａ）に示すように電車運行情報のカテゴリを優先して表示してもよい。ここで電車運行情報を選択すると、図９（Ａ）に示すような詳細な投稿情報が表示されてもよい。例えば、移動手段が車であると判断された場合、図１０（Ｂ）に示すように道路情報のカテゴリを優先して表示してもよい。例えば、移動手段が自転車又は徒歩であると判断された場合、気象情報又はグルメ情報のカテゴリを優先して表示してもよい。ここで気象情報を選択すると、図９（Ｂ）に示すような詳細な投稿情報が表示されてもよい。
【００５０】
例えば、表示部２０５は、図１１（Ａ）に示すように現在地から目的地までの投稿情報を移動経路に沿って表示してもよい。図１１（Ａ）では、複数のカテゴリが混在して表示されているが、移動経路に沿って表示される投稿情報は、カテゴリに分類されてもよい。
【００５１】
また、気象情報、電車運行情報、道路情報等のコンテンツを提供するコンテンツプロバイダが存在する。これらのコンテンツプロバイダに位置情報を送信することで、その位置情報に関連するコンテンツを取得できる。例えば、表示部２０５は、表示画面を分割し、画面の一部にコンテンツプロバイダの情報を表示し、画面の一部に投稿情報を表示してもよい。
【００５２】
例えばスマートホンのようにタッチパネルによって操作を行う移動端末の場合、誤操作を防止するために、タッチ操作をできなくする画面（ロック画面）を表示することができる。表示部２０５は、このロック画面上に投稿情報を表示してもよい。これにより、ロック画面表示時に、ユーザがロック解除操作しなくても、投稿情報を確認することができ、ユーザ利便性を高めることができる。
【００５３】
＜地域情報配信方法のフローチャート＞
図１２は、本発明の実施例に係る地域情報配信方法のフローチャートである。
【００５４】
まず、投稿情報取得部１０１は、地域に関する投稿情報を取得し、投稿情報格納部１５７に格納する（ステップＳ１０１）。例えば、図５に示すように、「東海道線横浜駅１０分遅れ」という投稿情報の路線名及び駅名は、路線・道路情報格納部１５３に格納された「東海道線」及び「横浜駅」という路線名及び駅名を含むため、投稿情報取得部１０１は、この投稿情報を、東海道線の路線ＩＤ、横浜駅の駅ＩＤ、及び横浜駅の緯度・経度に関連付けて投稿情報格納部１５７に格納する。例えば、「大雨だ！＠35.681382,139.766084」という投稿情報は、投稿情報に位置情報が付与されているため、投稿情報取得部１０１は、この投稿情報を、(35.681382,139.766084)という緯度・経度に関連付けて投稿情報格納部１５７に格納する。例えば、「東名高速激混み！＠御殿場ＩＣ」という投稿情報の道路名及び道路施設名は、路線・道路情報格納部１５３に格納された「東名高速道路」及び「御殿場ＩＣ」という道路名及び道路施設名を部分的に含むため、投稿情報取得部１０１は、この投稿情報を、東名高速の道路ＩＤ（路線ＩＤ）、御殿場ＩＣの道路施設ＩＤ（駅ＩＤ）に関連付けて投稿情報格納部１５７に格納する。
【００５５】
次に、カテゴリ分類部１０３は、投稿情報のカテゴリを分類し、カテゴリ情報を投稿情報格納部１５７に格納する（ステップＳ１０３）。例えば、図５において、「東海道線横浜駅１０分遅れ」という投稿情報は、カテゴリ情報格納部１５９に格納された「遅れ」という関連単語を含むため、カテゴリ分類部１０３は、この投稿情報を「電車運行情報」に分類し、この投稿情報にカテゴリＩＤを付与して投稿情報格納部１５７に格納する。例えば、「大雨だ！＠35.681382,139.766084」という投稿情報は、カテゴリ情報格納部１５９に格納された「大雨」という関連単語を含むため、カテゴリ分類部１０３は、この投稿情報を「気象情報」に分類し、この投稿情報にカテゴリＩＤを付与して投稿情報格納部１５７に格納する。例えば、「東名高速激混み！＠御殿場ＩＣ」という投稿情報は、「混雑」という関連単語に意味的に近い「混み」という単語を含むため、カテゴリ分類部１０３は、この投稿情報を「道路情報」に分類し、この投稿情報にカテゴリＩＤを付与して投稿情報格納部１５７に格納する。
【００５６】
次に、位置情報受信部１０７は、移動端末２０で測位した位置情報を受信し、位置情報格納部１６１に格納する（ステップＳ１０５）。この場合、図７に示すように所定期間内の位置情報が格納される。更に、目的地予測部１１１は、ユーザの移動経路及び目的地を予測し、移動手段判定部１１３は、ユーザの移動手段を判定する（ステップＳ１０７）。図７に示すように、最新の位置情報は(35.1342,139.3432,50)であるため、これは、移動経路情報格納部１６３に格納された移動経路R1の出発エリアに対応する。従って、目的地予測部１１１は、到着エリア及び通過エリアを予測できる。また、移動手段判定部１１３により、移動手段が電車であることを判定する。
【００５７】
次に、関連投稿情報取得部１１５は、移動手段に応じて投稿情報のカテゴリの優先順位を決定する（ステップＳ１０９）。上記の場合、移動手段が電車であると判定されたため、電車運行情報のカテゴリの投稿情報を優先する。また、関連投稿情報取得部１１５は、移動経路及び目的地に応じて投稿情報の優先順位を決定する（ステップＳ１１１）。目的地予測部１１１により(35.1342,139.3432,50)→(35.2342,139.4432,40)→(35.3342,139.6432,40)→・・・→(35.5342,139.8432,50)という経路を通過して目的地に到着することが予測されたため、関連投稿情報取得部１１５は、移動経路の各エリアの投稿情報の優先順位を最新の位置情報に近い順に決定する。
【００５８】
次に、これらの情報が移動端末に配信され、移動端末２０の表示部は、優先順位に従って投稿情報を表示する（ステップＳ１１３）。例えば、図１０〜図１２に示すように投稿情報を表示する。
【００５９】
なお、本発明の実施例では、地域情報配信サーバと移動端末とを用いた地域情報配信システムについて説明したが、移動端末のみで上記の機能を実現することも可能である。この場合、移動端末は、図１の機能部のうち、位置情報受信部１０７、関連投稿情報配信部１１７、関連投稿情報受信部２０３を除く全ての機能部を含む。また、地域情報配信サーバと移動端末との間の如何なる機能分散も可能である。
【００６０】
＜移動経路判定部及び目的地予測部の詳細な説明＞
次に、移動経路判定部１０９及び目的地予測部１１１について詳細に説明する。
【００６１】
図８に示すように、移動経路情報格納部１６３には、過去に移動端末の移動した移動経路についての情報（経路ＩＤ、通過番号、出発エリア、到着エリア、通過エリア、移動手段、路線ＩＤ、移動回数）が移動経路毎に登録されている。経路ＩＤに登録されているデータは、過去に移動端末の移動した移動経路を特定するための識別情報（"Ｒ１"、"Ｒ２"等であり、以下、移動経路Ｒ１、移動経路Ｒ２等と称する）を表すデータである。通過番号に登録されているデータは、経路ＩＤに登録されている各移動経路の識別番号である。出発エリアに登録されているデータは、経路ＩＤに登録されている各移動経路の出発エリア（移動経路の始端（出発地点）を含むエリア）を示すエリア情報（緯度・経度及び測定誤差を含む。以下同様）である。到着エリアに登録されているデータは、経路ＩＤに登録されている各移動経路の到着エリア（移動経路の終端（到着地点）を含むエリア）を示すエリア情報である。なお、移動経路情報格納部１６３の出発エリア、到着エリア、通過エリアの各エリア情報に、そのエリアを通過した時刻を含めてもよい。
【００６２】
通過エリアに登録されているデータは、経路ＩＤに登録されている各移動経路を移動中に移動端末の通過した通過エリア（出発エリア及び到着エリアを除く）を示すエリア情報である。移動手段に登録されているデータは、移動端末が通過エリアを通過したときの移動手段である。線路ＩＤに登録されているデータは、移動端末が通過エリアを通過したときの路線又は道路のＩＤである。移動回数に登録されているデータは、経路ＩＤに登録されている各移動経路を移動端末が移動した回数を示すデータである。
【００６３】
移動経路判定部１０９は、移動端末の現在のエリア情報を所定の周期で検出する。移動経路判定部１０９は、位置情報格納部１６１に格納された移動端末の位置情報（移動端末の現在の緯度及び経度を示すＧＰＳ信号等）に基づいて、移動端末が存在するエリア（例えば、移動端末の現在の緯度・経度を中心とし、一辺が測位誤差の２倍であるような正方形で表現）とその検出時刻とを所定の周期毎（例えば、５分毎や１０分毎等）に検出する。図１３を参照して移動経路判定部１０９について具体的に説明すると、移動経路判定部１０９は、例えば、新規にエリアＥ２１、Ｅ３、Ｅ４、Ｅ１１（移動端末が存在するエリア）を順次検出する。図１３に示すエリアＥ５、Ｅ６、Ｅ７は、過去に検出されたエリアであって図８に示す移動経路情報格納部１６３に既に登録されており、図１３に示すエリアＥ２１、Ｅ１１は、過去に検出された出発エリアＥ２、到着エリアＥ１のそれぞれに対応している。
【００６４】
移動経路判定部１０９は、検出されたエリア情報に基づいて移動端末の新規移動経路を検出する。移動経路判定部１０９は、検出されたエリア（移動端末の存在するエリア）に基づいて、移動端末が移動している移動経路を検出する。図１３を参照して移動経路判定部１０９について具体的に説明すると、移動経路判定部１０９は、新規に検出されたエリアＥ２１、Ｅ３、Ｅ４、Ｅ１１に基づいて、移動端末が移動している新規移動経路Ｒ１１を検出する。ここで、移動経路判定部１０９は、次のようにして移動端末が滞在中であるか移動中であるかを検出する。移動経路判定部１０９が第１のエリア、第２のエリアを順次検出した場合、第１及び第２のエリアが重なっており、第１及び第２のエリアによって共有される共通領域があり、以降、移動経路判定部１０９が順次検出した第１・・第ｎのエリア（ｎは所定の自然数）に対し、上記のように共通領域がある場合に、移動経路判定部１０９は、移動端末が滞在中であることを検出し、そうでない場合に、移動端末が移動中であることを検出する。
【００６５】
また、移動経路判定部１０９は、通過エリアにおける路線ＩＤ（道路ＩＤ）を判定する。移動手段判定部１１３で判定した移動手段が電車である場合、移動経路判定部１０９は電車路線で判定し、通過エリアと路線ＩＤとを対応付ける。移動手段判定部１１３で判定した移動手段が車である場合、移動経路判定部１０９は道路で判定し、通過エリアと道路ＩＤとを対応付ける。移動手段判定部１１３で判定した移動手段が自転車又は徒歩である場合も、移動経路判定部１０９は道路で判定し、通過エリアと道路ＩＤとを対応付けてもよい。
【００６６】
図１４は、路線・道路情報格納部１５３に格納されている路線の中の第１の駅から第２の駅までの経路が、両端を含めて１０個の代表点の位置座標により特定又は指定されている様子を示す。代表点の数は任意である。図１４には、隣接する代表点を結ぶ線分を対角線とする第１の矩形領域も示されている。さらに、ユーザの位置座標を中心とし、測位誤差の２倍を１辺とする第２の矩形領域も示されている。このようにして得られる第１及び第２の矩形領域が少なくとも部分的に重複していた場合、ユーザは、過去にその付近に位置していたことになる。第１及び第２の矩形領域の重複量（重複面積又は重複した回数）を経路に沿って累積した結果、累積量が所定値を上回っていた場合、ユーザはその路線を利用したことがあると判定できる。そして、移動経路判定部１０９は、通過エリアと路線ＩＤ（道路ＩＤ）とを対応付ける。
【００６７】
第１の矩形領域は、隣接する代表点同士を結ぶ線分を対角線としているが、このことは必須ではない。より離れた２つの代表点同士を結ぶ線分を対角線とする領域が、第１の矩形領域として使用されてもよい。ただし、経路の近辺に住居や道路が多数存在する場合において、経路の利用回数を正確に判定する等の観点からは、第１の矩形領域の対角線の長さは短い方が好ましい。
【００６８】
図１４に示す例では、第１及び第２の矩形領域の重複量又は重複回数が判定されたが、矩形領域を使用することは必須でない。例えば、２つの代表点を結ぶ線分を直径とする第１の円形領域と、ユーザの位置を中心とし、測位誤差を半径とする第２の円形領域との重複が、経路に沿って判定されてもよい。要するに、路線近辺にユーザが過去に存在したことがあるか否かが判定できればよい。
【００６９】
目的地予測部１１１は、新規移動経路のエリア情報に含まれるエリアと過去の移動経路のエリア情報に含まれるエリアとに基づいて、新規移動経路と過去の移動経路とが対応しているか否かを判定する。目的地予測部１１１は、新規移動経路のエリア情報に含まれる所定数のエリア全てが、過去の移動経路のエリア情報に含まれる１つ以上のエリアと重なるか否かで、新規移動経路と過去の移動経路とが対応しているか否かを判定してもよい。その際に、目的地予測部１１１は、移動経路情報格納部１６３に登録されている過去の移動経路に、検出された新規の（現在の）移動経路が対応しているか否かを、移動経路情報格納部１６３に基づいて判定してもよい。図８及び図１３を参照して具体的に説明すると、目的地予測部１１１は、検出された新規移動経路Ｒ１１が、移動経路情報格納部１６３に登録されている過去の移動経路に対応しているか否かを判定する。
【００７０】
目的地予測部１１１は、移動端末が新規移動経路を移動中に通過した通過エリアと、この通過エリアから距離的に最も近い位置にあり移動経路情報格納部１６３に登録されている過去の一の移動経路に含まれている所定数Ｎ２（例えば２とする）の通過エリアが重なる共通領域の有無を、新規移動経路の通過エリア毎に通過順に判定する。そして、目的地予測部１１１は、新規移動経路の複数の通過エリアのうち所定数Ｎ３（例えば２とする）以上の通過エリアにおいて上記のような共通領域がないと連続して判定した場合を除き、移動経路情報格納部１６３に登録されているこの過去の一の移動経路に新規移動経路が対応していると判定する。
【００７１】
図８及び図１３を参照して具体的に説明する。目的地予測部１１１は、移動端末が新規移動経路Ｒ１１を移動中に通過した通過エリア（エリアＥ３）と、エリアＥ３から距離的に最も近い位置にあり移動経路情報格納部１６３に登録されている過去の一の移動経路Ｒ１に含まれている所定数Ｎ２（＝２）の通過エリア（エリアＥ５、Ｅ６がエリアＥ３から距離的に最も近い位置にある）を含む（詳細には、エリアＥ５と、エリアＥ６とを含む）最小の矩形領域ＭＢＲ１とが重なる共通領域の有無、及び、移動端末が新規移動経路Ｒ１１を移動中に通過した通過エリア（エリアＥ４）と、エリアＥ４から距離的に最も近い位置にあり移動経路情報格納部１６３に登録されている過去の一の移動経路Ｒ１に含まれている所定数Ｎ２（＝２）の通過エリア（エリアＥ６、Ｅ７がエリアＥ４から距離的に最も近い位置にある）を含む（詳細には、エリアＥ６と、エリアＥ７とを含む）最小の矩形領域ＭＢＲ２とが重なる共通領域の有無を、エリアＥ３、Ｅ４のそれぞれに対して判定する。エリアＥ３はＭＢＲ１に含まれており、エリアＥ４はＭＢＲ２に重なる共通領域を有しているので、目的地予測部１１１は、エリアＥ３、Ｅ４の全てが共通領域を有すると判定する。よって、目的地予測部１１１は、新規移動経路Ｒ１１が、エリアＥ５、Ｅ６、Ｅ７を含む過去の一の移動経路Ｒ１に対応していると判定する。
【００７２】
なお、移動経路情報格納部１６３に登録されている過去の移動経路に対応していると目的地予測部１１１によって判定された新規移動経路の出発エリアは、この過去の移動経路の出発エリア又は到着エリアに対応している。以下、二つのエリアが対応しているとは、二つのエリアが重なっており、二つのエリアによって共有される共通領域がある場合を意味する。図１３を参照して具体的に説明すると、新規移動経路Ｒ１１の出発エリア（エリアＥ２１）は、過去の移動経路Ｒ１の出発エリア（エリアＥ２"自宅"（図１３））に対応しているので、目的地予測部１１１、移動経路情報格納部１６３に登録されている過去の複数の移動経路のうち、新規移動経路Ｒ１１の出発エリア（エリアＥ２１）に対応している出発エリア（エリアＥ２"自宅"（図１３））を含む過去の移動経路Ｒ１を特定する。そして、目的地予測部１１１は、最初に通過したエリアＥ３と、移動経路Ｒ１の通過エリア（エリアＥ５、Ｅ６）を含むＭＢＲ１とが重なっている共通領域があると判定し、よって、この過去の移動経路Ｒ１上を移動端末が移動中であると判定する。次に、目的地予測部１１１は、エリアＥ３を通過した後に最初に通過したエリアＥ４と、移動経路Ｒ１の通過エリア（エリアＥ６、Ｅ７）を含むＭＢＲ２とが重なっている共通領域があると判定し、よって、エリアＥ４を通過する直前に通過したエリアＥ３において移動端末が移動中であると判定された移動経路Ｒ１上を、エリアＥ４の通過時においても移動中であると判定する。
【００７３】
移動経路判定部１０９は、移動端末が移動中から滞在中になったと判定されると、新規移動経路と移動経路情報格納部１６３に登録されている過去の移動経路とが対応していると目的地予測部１１１によって判定された場合には、この新規移動経路を表すエリア情報（新規移動経路の出発エリア、到着エリア及び通過エリアを示す各エリア情報を含む）を、この移動経路情報格納部１６３に登録されている過去の移動経路を示すエリア情報に追加すると共に、この移動経路情報に含まれている移動回数を、１だけ増加して更新する。移動経路判定部１０９は、新規移動経路と移動経路情報格納部１６３に登録されている過去の移動経路とが対応していないと目的地予測部１１１によって判定された場合には、この新規移動経路を表すエリア情報（新規移動経路の出発エリア、到着エリア及び通過エリアを示す各エリア情報を含む）を新規の移動経路情報として移動経路情報格納部１６３に登録する。
【００７４】
図１３を参照して、具体的に説明する。移動経路判定部１０９は、新規移動経路Ｒ１１と過去の移動経路Ｒ１とが対応していると目的地予測部１１１によって判定された後、移動端末が移動中から滞在中になったと判定されると、この新規移動経路Ｒ１１を表すエリア情報（新規移動経路Ｒ１１の出発エリア、通過エリア及び通過エリアを示す各エリア情報を含む）を、移動経路情報格納部１６３のうち移動経路Ｒ１を示すエリア情報に追加する。
【００７５】
なお、移動経路判定部１０９は、検出されたエリアＥ８、Ｅ９に基づいて新規移動経路Ｒ１２を検出した場合、新規移動経路Ｒ１２と移動経路情報格納部１６３に登録されている過去の移動経路とが対応していないと目的地予測部１１１よって判定された場合、この新規移動経路Ｒ１２を表す情報（新規移動経路Ｒ１２の出発エリア、到着エリア及び通過エリアを示す各エリア情報を含む）を新規の移動経路情報として移動経路情報格納部１６３に登録する。例えば、目的地予測部１１１は、新規移動経路Ｒ１２上のエリアＥ８と、エリアＥ８から距離的に最も近い位置にある移動経路Ｒ１の所定数Ｎ２（＝２）の通過エリアを含む最小の矩形領域（例えばＭＢＲ１）とが重なる共通領域が無く、更に、新規移動経路Ｒ１２上のエリアＥ９と、エリアＥ９から距離的に最も近い位置にある移動経路Ｒ１の所定数Ｎ２の通過エリアを含む最小の矩形領域（例えばＭＢＲ１）とが重なる共通領域が無く、よって、新規移動経路Ｒ１２の複数の通過エリア（エリアＥ８、Ｅ９）のうち所定数Ｎ３（＝２）以上の通過エリアにおいて、共通領域が無いと判定するので、新規移動経路Ｒ１２と移動経路情報格納部１６３に登録されている過去の移動経路Ｒ１とが対応していないと判定する。
【００７６】
そして、目的地予測部１１１は、経路が対応していると判定された過去の移経路とその移動回数とに基づき、移動端末が過去の移動経路を通過中である経路通過確率を算出し、算出された経路通過確率に基づき、移動端末の現在のエリア以降の訪問エリアを予測する。目的地予測部１１１は、任意の複数のエリアを訪問候補エリアとして特定し、訪問候補エリアごとに、訪問候補エリアを通る過去の移動経路を抽出し、抽出した各過去の移動経路の経路通過確率を合算してエリア通過確率を算出し、エリア通過確率が最大の訪問候補エリアを訪問エリアとして予測してもよい。目的地予測部１１１は、経路が対応していると判定される過去の移動経路が存在しない場合には訪問エリアの予測を一旦停止し、停止した後に新規移動経路を検出した結果、新たに対応していると判定される過去の移動経路が出現した時点で、訪問エリアの予測を再開してもよい。
【００７７】
＜移動手段判定部の詳細な説明＞
次に、図１５を参照して、移動手段判定部１１３について詳細に説明する。移動手段を正確に判定するために、移動手段判定部１１３は、ユーザの位置情報だけでなく、歩数情報も用いてもよい。ここで、移動手段とは、ユーザが移動する際に使用する交通手段であって、例えば、「電車」、「車」、「自転車」、「歩行（徒歩）」等である。
【００７８】
移動手段判定部１１３は、まずユーザの移動手段の初期状態を「歩行中」とする。そして前回滞在と判定されたエリアのうち最も測位誤差が小さい位置情報に基づいて推定されたエリアと、ユーザが現在存在すると推定されたエリアとの距離がＤｔｈメートル以上離れているか否か判断する（Ｓ２０１）。ここで、Ｄｔｈメートルは、ユーザが移動したと判断することができる最短の距離であって、その値は、予め設定されている。前回滞在と判定されたエリアのうち最も測位誤差が小さい位置情報に基づいて推定されたエリアと、ユーザが現在存在すると推定されたエリアとの距離が、Ｄｔｈメートルより小さいと判断した場合、移動手段判定部１１３は、「滞在中」と推定する（Ｓ２０２）。
【００７９】
前回滞在と判定されたエリアのうち最も測位誤差が小さい位置情報に基づいて推定されたエリアと、ユーザが現在存在すると推定されたエリアとの距離がＤｔｈメートル以上と判断した場合、移動手段判定部１１３は、Ｔｔｈ１分以上の間、ユーザの移動速度がＶｔｈｋｍ／ｈ以上であるか否か判断する（Ｓ２０３）。ここで、Ｖｔｈｋｍ／ｈは、一般的な歩行速度（例えば、３〜４ｋｍ／ｈ）よりも速く、一般的な自転車の速度（１５〜２０ｋｍ／ｈ）程度の速度であることが好ましい。Ｔｔｈ１分は、ユーザが移動手段を使用していると判断できる程度の時間であればよく、ユーザの位置情報を取得する間隔２〜３回分程度の時間でよい。Ｔｔｈ１、Ｖｔｈは、予め設定されている。また、ユーザの移動速度は、連続的に取得されたユーザの位置情報から算出することができる。例えば、時刻ｔ１に取得したユーザの位置情報ｐ１と、時刻ｔ２に取得したユーザの位置情報ｐ２とを用いて、ｐ１とｐ２との間の距離を（ｔ２−ｔ１）で割ることによりユーザの移動速度を算出する。
【００８０】
Ｓ２０３の判断において、Ｔｔｈ１分以上の間、ユーザの移動速度がＶｔｈｋｍ／ｈ以上であると判断した場合、歩数情報が表す歩数が所定の値Ｃｔｈ以上であるか否か判断する（Ｓ２０４）。ここで、Ｃｔｈは、ユーザが電車や車を利用した場合に想定される歩数よりも大きな値（例えば、５０歩程度）であればよく、予め設定されている。歩数がＣｔｈ以上であると判断した場合、移動手段判定部１１３は、「自転車移動中」と推定する（Ｓ２０５）。歩数がＣｔｈより小さいと判断した場合、移動手段判定部１１３は、ユーザが現在存在すると推定されたエリアと線路を示す経路との距離がＤｔｈ２メートル以下であるか否かを判断する（Ｓ２０６）。ここで、Ｄｔｈ２メートルは、ユーザが線路を示す経路上を移動していることが推定可能な距離であればよく、予め設定されている。線路を示す経路との距離がＤｔｈ２メートル以下と判断した場合、移動手段判定部１１３は、「電車移動中」と推定する（Ｓ２０７）。一方、線路を示す経路との距離がＤｔｈ２メートルより大きいと判定した場合、移動手段判定部１１３は、「車移動中」と推定する（Ｓ２０８）。
【００８１】
また、Ｓ２０３の判断において、Ｔｔｈ１分以上の間、ユーザの移動速度がＶｔｈｋｍ／ｈ以上でないと判断された場合には、歩数情報が表す歩数が所定の値Ｃｔｈ以上であるか否か判断する（Ｓ２０９）。歩数がＣｔｈ以上であると判断した場合、移動手段判定部１１３は、Ｔｔｈ２分以上の間、ユーザの移動速度がＶｔｈ２ｋｍ／ｈ以下であるか否か判断する（Ｓ２１０）。Ｖｔｈ２ｋｍ／ｈは、Ｖｔｈｋｍ／ｈより遅く、一般的な歩行速度（例えば、３〜４ｋｍ／ｈ）と、一般的な自転車の速度（１５〜２０ｋｍ／ｈ）との間の速度であることが好ましい。Ｔｔｈ２分は、Ｔｔｈ１分と同様にユーザが移動手段を使用していると判断できる程度の時間であればよく、１〜２分程度でよい。Ｔｔｈ２、Ｖｔｈ２は、いずれも予め設定されている。Ｔｔｈ２分以上の間、ユーザの移動速度がＶｔｈ２ｋｍ／ｈ以下であると判断した場合、移動手段判定部１１３は、「歩行中」と推定する（Ｓ２１１）。一方、Ｔｔｈ２分以上の間、ユーザの移動速度がＶｔｈ２ｋｍ／ｈ以下でないと判断した場合、移動手段判定部１１３は、「自転車移動中」と推定する（Ｓ２１２）。また、歩数が所定の値Ｃｔｈより小さいと判断した場合、いずれの移動手段にも該当しないことになり、ユーザの移動手段の推定を行うことができないことから、前回推定した移動手段を、ユーザの移動手段として推定する（Ｓ２１３）。
【００８２】
＜実施例の効果＞
本発明の実施例によれば、投稿された情報の中からユーザが興味のある地域に関する情報を選択することが容易になる。投稿情報にはハッシュタグが慣用的に使用されており、このようなハッシュタグを用いることにより、大量の投稿情報から地域に関する投稿情報を容易に取得できる。
【００８３】
また、投稿情報がカテゴリ毎に分類されるため、ユーザが興味のあるカテゴリに関する情報を選択することが容易になる。カテゴリの分類に関して、決まったカテゴリの情報のみを投稿するＴｗｉｔｔｅｒ＿ＩＤを用いることで、カテゴリに関連する単語を自動的に抽出可能になり、カテゴリの分類が簡略化される。
【００８４】
また、移動手段に応じて、カテゴリ毎に投稿情報に優先順位が付与されるため、移動手段によってユーザが関心のあると想定される投稿情報を優先して表示できる。更に、移動経路及び目的地によって、ユーザの現在地から目的地までの投稿情報を、現在地に近い順に表示できる。
【００８５】
説明の便宜上、本発明の実施例に係る装置は機能的なブロック図を用いて説明しているが、本発明の装置は、ハードウェア、ソフトウェア又はそれらの組み合わせで実現されてもよい。また、各機能部が必要に応じて組み合わせて使用されてもよい。
【００８６】
説明の便宜上、本発明の実施例に係る方法は処理の流れを示すフローチャートを用いて説明しているが、本発明の方法は、実施例に示す順序と異なる順序で実施されてもよい。
【００８７】
以上、本発明の実施例について説明したが、本発明は、上記の実施例に限定されることなく、特許請求の範囲内において、種々の変更・応用が可能である。
【符号の説明】
【００８８】
１０    地域情報配信サーバ
１０１  投稿情報取得部
１０３  カテゴリ分類部
１０５  単語抽出部
１０７  位置情報受信部
１０９  移動経路判定部
１１１  目的地予測部
１１３  移動手段判定部
１１５  関連投稿情報取得部
１１７  関連投稿情報配信部
１５１  ハッシュタグ情報格納部
１５３  路線・道路情報格納部
１５５  店舗情報格納部
１５７  投稿情報格納部
１５９  カテゴリ情報格納部
１６１  位置情報格納部
１６３  移動経路情報格納部
２０    移動端末
２０１  位置情報取得部
２０３  関連投稿情報受信部
２０５  表示部
【図１】
0005389853.tif 000002
【図２】
0005389853.tif 000003
【図３】
0005389853.tif 000004
【図４】
0005389853.tif 000005
【図５】
0005389853.tif 000006
【図６】
0005389853.tif 000007
【図７】
0005389853.tif 000008
【図８】
0005389853.tif 000009
【図９】
0005389853.tif 000010
【図１０】
0005389853.tif 000011
【図１１】
0005389853.tif 000012
【図１２】
0005389853.tif 000013
【図１３】
0005389853.tif 000014
【図１４】
0005389853.tif 000015
【図１５】
0005389853.tif 000016